(57)【要約】【課題】内刃を水洗い洗浄する際に外刃も同時に洗浄して、内刃や外刃に付着した毛屑や皮脂などを効果的に洗い落とすことができる電気かみそりの清掃具を提供する。【解決手段】清掃具は、外刃ホルダー１２が装着された状態のヘッド部２に着脱自在に装着される洗浄部４５と、ヘッド部２に装着した洗浄部４５を分離不能に係合保持する保持構造８５を備えている。洗浄部４５は、洗浄液を貯留できるよう容器状に形成してあり、洗浄部４５に貯留した洗浄液に内刃１８と外刃１９とを浸漬した状態で同時に洗浄する。【選択図】図１７
2009028434.tif 000002
【特許請求の範囲】
【請求項１】
ヘッド部（２）に内刃（１８）と、外刃ホルダー（１２）で支持される外刃（１９）を備えている電気かみそりの清掃具であって、
清掃具は、外刃ホルダー（１２）が装着された状態のヘッド部（２）に着脱自在に装着される洗浄部（４５）と、ヘッド部（２）に装着した洗浄部（４５）を分離不能に係合保持する保持構造（８５）を備えており、
洗浄部（４５）は、洗浄液を貯留できるよう容器状に形成されていて、洗浄部（４５）に貯留した洗浄液に内刃（１８）と外刃（１９）とを浸漬した状態で同時に洗浄する電気かみそりの清掃具。
【請求項２】
洗浄部（４５）の前壁（５２）に、洗浄液を導入する通水口（６１）が開口され、洗浄部（４５）の内奥に排水口（８４）が開口してある請求項１記載の電気かみそりの清掃具。
【請求項３】
洗浄部（４５）が、外刃ホルダー（１２）の外面を覆う状態で容器状に形成されており、
外刃ホルダー（１２）を保持構造（８５）で係合保持して、洗浄部（４５）がヘッド部（２）に分離不能に装着保持してある請求項１または２記載の電気かみそりの清掃具。
【請求項４】
洗浄部（４５）に隣接して、外刃ホルダー（１２）を取り外した状態のヘッド部（２）に着脱自在に装着される分離洗浄部（４４）が設けられており、
分離洗浄部（４４）と洗浄部（４５）とは、お互いの装着開口が逆向きに開口する状態で配置されており、
分離洗浄部（４４）の内部に、内刃（１８）に外接する清掃体（５０）が設けてある請求項１〜３のいずれかに記載の電気かみそりの清掃具。
【請求項５】
分離洗浄部（４４）を外刃ホルダー（１２）が取り外されたヘッド部（２）に装着した状態において、洗浄部（４５）に外刃ホルダー（１２）を嵌め込み装着して、分離洗浄部（４４）内の内刃（１８）を洗浄できる請求項４記載の電気かみそりの清掃具。
【請求項６】
分離洗浄部（４４）と洗浄部（４５）とが区分壁（５７）を共有する状態で一体に形成されており、
分離洗浄部（４４）の前壁（４６）に、分離洗浄部（４４）に連通する通水口（６０）と、洗浄部（４５）に連通する通水口（６１）とが形成してある請求項４または５記載の電気かみそりの清掃具。
【請求項７】
分離洗浄部（４４）の前壁（４６）に、前記両通水口（６０・６１）の周囲を囲む堤壁（６２）が形成してある請求項６記載の電気かみそりの清掃具。
【請求項８】
洗浄部（４５）が、外刃ホルダー（１２）の外形形状に沿う区分壁（５７）を含んで構成されており、
区分壁（５７）が分離洗浄部（４４）の内部空間に臨む状態で、洗浄部（４５）が分離洗浄部（４４）と一体に形成されており、
分離洗浄部（４４）の後壁（４７）と前記区分壁（５７）とに挟まれる内奥部分と、洗浄部（４５）に臨む区分壁（５７）の一方の内隅部分とのそれぞれに排水口（７０・８４）が開口してある請求項６または７記載の電気かみそりの清掃具。
【請求項９】
分離洗浄部（４４）の排水口（７０）からの排水が洗浄部（４５）の外へ向かって排出され、洗浄部（４５）の排水口（８４）からの排水が分離洗浄部（４４）の洗浄空間の外へ向かって排出されるよう、各排水口（７０・８４）が形成してある請求項８記載の電気かみそりの清掃具。
【請求項１０】
分離洗浄部（４４）の排水口（７０）が分離洗浄部（４４）の後壁（４７）に開口され、
洗浄部（４５）の排水口（８４）の流下経路が、分離洗浄部（４４）の左右の周囲壁に沿って設けてある請求項８または９記載の電気かみそりの清掃具。
【請求項１１】
分離洗浄部（４４）の中心軸線（Ｐ１）に対して、洗浄部（４５）の中心軸線（Ｐ２）が前傾させてある請求項４から１０のいずれかに記載の電気かみそりの清掃具。
【請求項１２】
外刃ホルダー（１２）を洗浄部（４５）に装着した状態において、通水口（６１）と対向する外刃ホルダー（１２）の周囲壁に開口（２５）が設けられており、
通水口（１２）および開口（２５）を介して毛屑室（Ｒ）の内部へ洗浄液を直接導入できる請求項１１記載の電気かみそりの清掃具。
【請求項１３】
ヘッド部（２）に、前記開口（２５）を開閉するシャッター（２６）が設けられて、ばね（２７）で閉じ勝手に移動付勢されており、
外刃ホルダー（１２）を洗浄部（４５）に嵌め込み装着する過程で、前記シャッター（２６）をばね（２７）の付勢力に抗して開放操作する操作体（６６）が洗浄部（４５）に設けてある請求項１２記載の電気かみそりの清掃具。
【発明の詳細な説明】
【技術分野】
【０００１】
本発明は、電気かみそりの内刃および外刃を水洗い洗浄するための清掃具に関する。
【背景技術】
【０００２】
この種の清掃具の従来技術として例えば特許文献１の清掃具が公知である。そこでは、かみそりヘッドに装着されるホルダー体と、ホルダー体で回転自在に支持される円柱状の清掃ブラシとで清掃具を構成している。ホルダー体は、外刃ホルダーと同様にキャップ状に形成してあり、その前後壁、および上壁のそれぞれに通水口が形成してある。清掃を行う場合には、ホルダー体を電気かみそりのヘッド部に装着し、流水を流し掛けながら内刃を回転駆動して、内刃と逆向きに回転する清掃ブラシで内刃のブレードなどに付着した毛屑や皮脂を洗い流す。
【０００３】
【特許文献１】特開２０００−１４９４４号公報（段落番号００３１、図１０）
【発明の開示】
【発明が解決しようとする課題】
【０００４】
上記の清掃具によれば、清掃ブラシを回転駆動しながら洗浄するので、外刃ホルダーを装着した状態のままで水洗い洗浄する電気かみそりに比べて、内刃のブレードやブレード軸などに付着した毛屑や皮脂をより確実に掻き落として、流水とともに速やかに洗い流すことができる。しかし、外刃ホルダーを取り外した状態で清掃を行うので、別途外刃ホルダーを手洗いする必要があり、清掃に余分な手間が掛かる。また、外刃ホルダーをかみそりヘッドから取り外す際に、毛屑がこぼれ落ちて散乱することがある。外刃ホルダーを装着した状態のままで水洗いすることに慣れたユーザーにとっては、外刃ホルダーに換えてホルダー体をヘッド部に装着し、さらに外刃ホルダーを洗浄する一連の洗浄作業が煩わしいものとなる。
【０００５】
本発明の目的は、内刃と外刃を同時に水洗い洗浄して、内刃や外刃に付着した毛屑や皮脂などを効果的に洗い落とすことができる電気かみそりの清掃具を提供することにある。本発明の目的は、ヘッド部から取り外した状態の外刃ホルダーと、内刃とを同時に水洗い洗浄する洗浄形態と、外刃ホルダーをヘッド部に装着した状態のままで水洗い洗浄する洗浄形態とのいずれでも洗浄できる電気かみそりの清掃具を提供することにある。本発明の目的は、ロータリー式電気かみそりの内刃と外刃とを、分離した状態で同時に洗浄できる清掃具を提供することにある。
【課題を解決するための手段】
【０００６】
本発明の清掃具は、ヘッド部２に内刃１８と、外刃ホルダー１２で支持される外刃１９を備えている電気かみそりに適用される。清掃具は、外刃ホルダー１２が装着された状態のヘッド部２に着脱自在に装着される洗浄部４５と、ヘッド部２に装着した洗浄部４５を分離不能に係合保持する保持構造８５を備えている。洗浄部４５は、洗浄液を貯留できるよう容器状に形成されていて、洗浄部４５に貯留した洗浄液に内刃１８と外刃１９とを浸漬した状態で同時に洗浄する。
【０００７】
洗浄部４５の前壁５２に、洗浄部４５に連通する通水口６１を開口し、洗浄部４５の内奥に排水口８４を開口する。
【０００８】
洗浄部４５は、外刃ホルダー１２の外面を覆う状態で容器状に形成する。外刃ホルダー１２を保持構造８５で係合保持することにより、洗浄部４５をヘッド部２に分離不能に装着保持する。
【０００９】
洗浄部４５に隣接して、外刃ホルダー１２を取り外した状態のヘッド部２に着脱自在に装着される分離洗浄部４４を設ける。分離洗浄部４４と洗浄部４５とは、お互いの装着開口が逆向きに開口する状態で配置する。分離洗浄部４４の内部に、内刃１８に外接する清掃体５０を設ける。
【００１０】
分離洗浄部４４を外刃ホルダー１２が取り外されたヘッド部２に装着した状態において、洗浄部４５に外刃ホルダー１２を嵌め込み装着して、分離洗浄部４４内の内刃１８を洗浄する。
【００１１】
分離洗浄部４４と洗浄部４５とは区分壁５７を共有する状態で一体に形成する。分離洗浄部４４の前壁４６に、分離洗浄部４４に連通する通水口６０と、洗浄部４５に連通する通水口６１とを形成する。
【００１２】
分離洗浄部４４の前壁４６に、前記両通水口６０・６１の周囲を囲む堤壁６２を形成する。
【００１３】
洗浄部４５は、外刃ホルダー１２の外形形状に沿う区分壁５７を含んで構成する。区分壁５７が分離洗浄部４４の内部空間に臨む状態で、洗浄部４５を分離洗浄部４４と一体に形成する。分離洗浄部４４の後壁４７と前記区分壁５７とに挟まれる内奥部分と、洗浄部４５に臨む区分壁５７の一方の内隅部分とのそれぞれに排水口７０・８４を開口する。
【００１４】
分離洗浄部４４の排水口７０からの排水が洗浄部４５の外へ向かって排出され、洗浄部４５の排水口８４からの排水が分離洗浄部４４の洗浄空間の外へ向かって排出されるよう、各排水口７０・８４を形成する。
【００１５】
分離洗浄部４４の排水口７０を分離洗浄部４４の後壁４７に開口する。洗浄部４５の排水口８４の流下経路を、分離洗浄部４４の左右の周囲壁に沿って設ける。
【００１６】
分離洗浄部４４の中心軸線Ｐ１に対して、洗浄部４５の中心軸線Ｐ２を前傾させる。
【００１７】
外刃ホルダー１２を洗浄部４５に装着した状態において、通水口６１と対向する外刃ホルダー１２の周囲壁に開口２５を設ける。以て、通水口１２および開口２５を介して毛屑室Ｒの内部へ洗浄液を直接導入する。
【００１８】
ヘッド部２に、開口２５を開閉するシャッター２６を設けて、ばね２７で閉じ勝手に移動付勢する。外刃ホルダー１２を洗浄部４５に嵌め込み装着する過程で、シャッター２６をばね２７の付勢力に抗して開放操作する操作体６６を洗浄部４５に設ける。
【発明の効果】
【００１９】
本発明では、外刃ホルダー１２が装着された状態のヘッド部２に装着される洗浄部４５と、ヘッド部２に装着した洗浄部４５を分離不能に係合保持する保持構造８５などで清掃具を構成し、洗浄部４５に貯留した洗浄液に内刃１８と外刃１９とを浸漬した状態で同時に洗浄できるようにした。このように、洗浄部４５を外刃ホルダー１２の外面に被せ付け、洗浄部４５に貯留した洗浄液によって内刃１８と外刃１９とを同時に洗浄する清掃具によれば、外刃１９の外面を清掃具で保護した状態で洗浄できるので、例えば電気かみそりおよび清掃具を洗浄水容器の内部で揺り動かしながら洗浄するような場合に、清掃具が洗浄水容器に衝突することがあっても、外刃１９が傷つくのを防止できる。また、外刃に流水を直接流し掛けながら洗浄を行う場合には、電気かみそりを起立保持している手が濡れるのを避けられないが、洗浄部４５に貯留した洗浄液によって内刃１８と外刃１９とを同時洗浄する限り、流水を清掃具に流し掛けながら洗浄を行ったとしても、手が濡れるのを防止できる。
【００２０】
洗浄部４５の前壁５２に、洗浄部４５に連通する通水口６１を開口し、洗浄部４５の内奥に排水口８４を開口する清掃具によれば、図１７に示すように洗浄部４５をヘッド部２に装着した状態で洗浄するとき、洗浄液を洗浄部４５に対して容易にしかも確実に供給でき、さらに洗浄廃液を洗浄部４５の内奥の排水口８４から流下排出して、常に清浄な洗浄液を洗浄部４５に供給しながら内刃１８および外刃１９の洗浄を行える。
【００２１】
洗浄部４５を、外刃ホルダー１２の外面を覆う状態で容器状に形成し、外刃ホルダー１２を保持構造８５で係合保持することにより、洗浄部４５をヘッド部２に分離不能に装着保持する清掃具によれば、一方の手で清掃具をつかみ、他方の手で電気かみそりを握った状態で、洗浄部４５の側を外刃ホルダー１２に嵌め込むことにより、外刃ホルダー１２を先の保持構造８５で分離不能に係合保持でき、この状態で電気かみそり側に設けられた外刃ホルダー１２のロック構造をロック解除操作して、外刃ホルダー１２をヘッド部２から分離できる。つまり、外刃１９や外刃ホルダー１２に一切触ることなく、外刃ホルダー１２をヘッド部２から取り外して、外刃１９および外刃ホルダー１２の内面や、ヘッド部２側に露出する内刃１８をクリーニングし、あるいは濯ぐことができる。
【００２２】
洗浄部４５に隣接して分離洗浄部４４を設け、分離洗浄部４４の内部に、内刃１８に外接する清掃体５０を設ける清掃具によれば、内刃１８を駆動しながら洗浄を行うことにより、内刃１８と清掃体５０との摺接動作によって、内刃１８および内刃１８の周辺構造に付着した毛屑や皮脂を清掃体５０で効果的に洗浄し、流水とともに速やかに洗い流すことができる。
【００２３】
分離洗浄部４４を外刃ホルダー１２が取り外されたヘッド部２に装着した状態において、洗浄部４５に外刃ホルダー１２を嵌め込み装着して、分離洗浄部４４内の内刃１８を洗浄する清掃具によれば、内刃１８および内刃１８の周辺構造を効果的に洗浄しながら、洗浄作業が終了するまでの間、外刃ホルダー１２を洗浄部４５で保持し、外刃１９を保護することができる。これにより、内刃１８の洗浄時に外刃ホルダー１２を置忘れたり、紛失するのを確実に防止できるうえ、外刃１９に他物が接触して破損するような事態を避けることができる。また、洗浄後には、ヘッド部２から取り外した清掃具を反転して、洗浄部４５に保持されている外刃ホルダー１２をヘッド部２に嵌め込むだけで、外刃ホルダー１２をヘッド部２に組み付けることができる。
【００２４】
分離洗浄部４４と洗浄部４５を、両者が区分壁５７を共有する状態で一体に形成し、分離洗浄部４４の前壁４６に、分離洗浄部４４に連通する通水口６０と、洗浄部４５に連通する通水口６１とを形成する清掃具によれば、両洗浄部４４・４５の通水口６０・６１を前壁４６に集約配置して、各洗浄部４４・４５に洗浄液を簡便に供給できる。例えば、分離洗浄部４４の前壁４６の側に洗浄液を流し掛けることにより、分離洗浄部４４と洗浄部４５のそれぞれに、各通水口６０・６１を介して洗浄液を供給できるので、各通水口６０・６１が異なる位置に配置してある場合に比べて、各洗浄部４４・４５と各通水口６０・６１との対応関係を確かめる必要もなく洗浄液を供給し、使い勝手を向上できる。また、分離洗浄部４４と洗浄部４５とが区分壁５７を共有する構造とすることにより、清掃具がいたずらに大形化するのを避けて、全体をコンパクトにまとめることができる。
【００２５】
分離洗浄部４４の前壁４６に、前記両通水口６０・６１の周囲を囲む堤壁６２を形成すると、一方の通水口６０（または通水口６１）に洗浄液を流し掛ける場合に、通水口６０から溢れた洗浄液を堤壁６２で受け止めて、他方の通水口６１（または通水口６０）から排水し、余分な洗浄液が清掃具の表面壁に沿って流下するのを解消できる。
【００２６】
外刃ホルダー１２の外形形状に沿う区分壁５７を含んで洗浄部４５を構成し、区分壁５７が分離洗浄部４４の内部空間に臨む状態で、洗浄部４５を分離洗浄部４４と一体に形成し、分離洗浄部４４の後壁４７と前記区分壁５７とに挟まれる内奥部分と、洗浄部４５に臨む区分壁５７の一方の内隅部分とのそれぞれに排水口７０・８４を開口すると、分離洗浄部４４、または洗浄部４５に入り込んだ洗浄液を、それぞれの排水口７０・８４から速やかに排出できるので、内刃１８や外刃１９から洗い流された毛屑や皮脂を洗浄液と共に円滑に排出できる。さらに、外刃ホルダー１２の外形形状に沿う区分壁５７を、両洗浄部４４・４５で共有することにより、清掃具がいたずらに大形化するのを避けて、全体をコンパクトにまとめることができる。また外刃ホルダー１２の外形形状に沿う区分壁５７の凹部構造を利用して、そこに洗浄液を貯留できる。
【００２７】
分離洗浄部４４の排水口７０からの排水を洗浄部４５の外へ向かって排出し、洗浄部４５の排水口８４からの排水を分離洗浄部４４の洗浄空間の外へ向かって排出するよう、各排水口７０・８４が形成してある清掃具によれば、毛屑などを含む洗浄液が分離洗浄部４４や洗浄部４５に入り込むのを確実に防止して、常に清浄な洗浄液で内刃１８および外刃１９を効果的に洗浄できる。
【００２８】
とくに、分離洗浄部４４の排水口７０を分離洗浄部４４の後壁４７に開口し、洗浄部４５の排水口８４の流下経路を、分離洗浄部４４の左右の周囲壁に沿って設けた清掃具によれば、内刃１８と外刃１９を同時に洗浄する状態において、分離洗浄部４４と洗浄部４５の一方から排出される毛屑などを含む洗浄液が、他方へ流れ込むのをさらに確実に防止できる。
【００２９】
分離洗浄部４４の中心軸線Ｐ１に対して洗浄部４５の中心軸線Ｐ２を前傾させた清掃具によれば、ヘッド部２に装着された外刃ホルダー１２を洗浄部４５に装着した後、清掃具を反転するだけで分離洗浄部４４をヘッド部２に装着でき、しかも、洗浄部４５が前傾する角度分だけ清掃具の反転角度を小さくして、分離洗浄部４４のヘッド部２に対する装着操作を簡便化できる。
【００３０】
外刃ホルダー１２を洗浄部４５に装着した状態において、通水口６１と対向する外刃ホルダー１２の周囲壁に開口２５を設けると、通水口１２および開口２５を介して毛屑室Ｒの内部へ洗浄液を直接導入して、充分な量の洗浄液で内刃１８と外刃１９を適切に洗浄できる。また、洗浄液を毛屑室Ｒの内部へ直接導入するので、洗浄液が無駄に消費されるのを防止できる。
【００３１】
ヘッド部２に、開口２５を開閉するシャッター２６を設けて、ばね２７で閉じ勝手に移動付勢する電気かみそりにおいては、洗浄部４５に操作体６６を設けておくことにより、外刃ホルダー１２を洗浄部４５に嵌め込み装着する過程で、シャッター２６をばね２７の付勢力に抗して操作体６６で開放操作できるので、洗浄前にシャッター２６を開放操作するなどの手間を省いて、簡便に洗浄作業を行える。
【発明を実施するための最良の形態】
【００３２】
（実施例）  図１ないし図１６は本発明に係る清掃具の実施例を示す。図２ないし図４は、清掃具が適用されるロータリー式の電気かみそりを示している。電気かみそりは、グリップを兼ねる本体ケース１と、本体ケース１の上部に設けられるヘッド部２と、本体ケース１の内部に収容される電装品ユニットなどで構成してある。本体ケース１の前面には、モーター起動用のスイッチボタン４と、後述するモーター１５の運転モードを切り換えるセレクトボタン５と、ＬＥＤ表示部６などが設けてある。本体ケース１の後面にはきわぞり刃ユニットが設けてある。電装品ユニットは２次電池７や制御基板などで構成してある。
【００３３】
図４に示すようにヘッド部２は、ヘッドケース１０と、ヘッドケース１０の下面に固定されるモーターホルダー１１と、ヘッドケース１０の上面のホルダー装着部１６に着脱自在に装着される外刃ホルダー１２などを外殻体にして構成する。ヘッド部２の上部に前後一対のメイン刃１３とセンター刃１４を配置し、これら両者の内刃をモーターホルダー１１に収容したモーター１５の動力で駆動できるようにしている。メイン刃１３は、横軸回りに回転自在に軸支される内刃１８と、外刃ホルダー１２でアーチ形状に保形される、網刃からなる外刃１９とで構成する。内刃１８と外刃１９とのせん断作用によって切断された毛屑は、外刃ホルダー１２で覆われる空間すなわち毛屑室Ｒに収容されて、ヘッドケース１０の上面や、内刃１８を支持するフレーム２０の上面などに溜まる。
【００３４】
内刃１８は、プラスチック成形される円柱状のブレード軸１８ａと、ブレード軸１８ａの周面に沿ってスパイラル状に埋設される１０枚のブレード１８ｂと、ブレード軸１８ａの軸心に沿って固定される内刃軸１８ｃとで構成する（図１３参照）。前後一対の内刃１８は、逆門形のフレーム２０で横軸回りに回転自在に軸支されてユニット部品化してある。外刃ホルダー１２をヘッドケース１０から取り外した状態では、図５に示すように内刃１８が露出する。このように、露出した状態の内刃１８を水洗い洗浄することにより、ブレード１８ｂや、ブレード軸１８ａの周面に付着した毛屑や皮脂を効果的に洗浄し除去できる。
【００３５】
外刃ホルダー１２は、前後壁２２・２３と左右壁２４・２４を一体に備えた上下面が開口するキャップ状のプラスチック成形品からなり、後壁２３の下縁左右に洗浄水（洗浄液）を導入するための開口２５が形成してある（図３参照）。外刃ホルダー１２の左右壁２４・２４の下開口縁は、ヘッドケース１０の側壁の形状に合致してアーチ形に凹ませてあり、アーチ頂部に指掛部２９が膨出形成してある。符号３０は、左右壁２４・２４の内面において下向きに張り出し形成される内側壁である。
【００３６】
外刃ホルダー１２をヘッドケース１０に装着した状態において先の開口２５を閉止するために、ホルダー装着部１６の後縁左右にシャッター２６が組み込んである。シャッター２６はヘッドケース１０で出退スライド自在に案内支持されて、ばね２７で進出付勢されている。外刃ホルダー１２を後述する清掃具に装着した状態においては、シャッター２６がばね２７の付勢力に抗してヘッドケース１０内部へ退入操作されるので、開口２５を開放することができる。そのためにシャッター２６の外面上部に、操作リブ２８が膨出形成してある（図３参照）。
【００３７】
ヘッドケース１０に装着した状態の外刃ホルダー１２は、ヘッドケース１０と外刃ホルダー１２との間に設けたロック構造で取り外し不能にロック保持してある。図４においてロック構造は、ヘッドケース１０に組み込まれる解除ボタン３３と、解除ボタン３３を待機位置へ向かって進出付勢するロックばね３４と、解除ボタン３３のスライド動作に連動して左右揺動するロックレバー３５と、外刃ホルダー１２の内側壁３０に開口されるロック穴３６とで構成する。外刃ホルダー１２をホルダー装着部１６に装着した状態においては、ロックレバー３５のロック爪がロック穴３６と係合して、外刃ホルダー１２を取り外し不能にロック保持している。この状態から、左右両側の解除ボタン３１をロックばね３４の付勢力に抗して押し込み操作すると、ロックレバー３５がロック穴３６から分離する向きに揺動してロック状態が解除されるので、外刃ホルダー１２をヘッドケース１０から取り外すことができる。
【００３８】
モーター１５の回転動力は、ヘッドケース１０の内部に設けたギヤ伝動機構３９を介して、メイン刃１３の内刃１８に伝動される。同時に、モーター１５の回転動力を偏心カム４０と振動子４１で往復動力に変換したのち、センター刃１４の内刃ときわぞり刃の可動刃とに伝動する。ヘッド部２の全体は、本体ケース１とヘッド部２との間に設けた浮動支持構造で前後、左右、上下の全方位方向へ傾動並びに浮動可能に支持されている。
【００３９】
上記のように構成した電気かみそりにおいて、内刃１８および外刃１９を同時に水洗い洗浄するために清掃具を設けている。図１および、図５ないし図１６において清掃具は、外刃ホルダー１２を取り外した状態のヘッドケース１０に着脱自在に装着される籠構造の分離洗浄部４４と、外刃ホルダー１２に外嵌装着される容器構造の洗浄部４５とを一体に備えたプラスチック成形品からなり、ポリカーボネイトを形成素材にして成形してある。
【００４０】
図５ないし図９において、分離洗浄部４４は、前壁４６と後壁４７、およびこれら前後壁４６・４７を繋ぐ左右側壁４８・４８とを備えた横長扁平筒状の周囲壁と、後述する区分壁５７とで構成され、その内部に内刃１８に外接する清掃体５０が設けてある。洗浄部４５は、分離洗浄部４４の上部に連続して形成してあり、前傾する前壁５２および後壁５３と、前後壁５２・５３を繋ぐ内奥壁５４および左右側壁５５とで、外刃ホルダー１２の外形形状に合致する容器状に構成されて、その内部に洗浄液（洗浄水）を貯留できる構造となっている。ヘッド部１０が装着される分離洗浄部４４の左右幅に比べて、外刃ホルダー１２が装着される洗浄部４５の左右幅は大きく設定してある。図５および図１０に示すように洗浄部４５の後壁５３と、分離洗浄部４４の前壁４６には、それぞれ装着方向と装着順を表示する装着表示５８・５９が形成してある。
【００４１】
図６に示すように、側面から見た洗浄部４５の中心軸線Ｐ２は、分離洗浄部４４の中心軸線Ｐ１に対して前倒れ状に傾斜させてある。中心軸線Ｐ１と中心軸線Ｐ２とが挟む角度θは３０度である。この配置形態を採ることにより、分離洗浄部４４の装着開口が下向きに開口するのに対して、洗浄部４５の装着開口は斜め上向きに開口する。また、前傾する前壁５２と端壁５４とが分離洗浄部４４の周囲壁で囲まれる空間に入り込んで、分離洗浄部４４と洗浄部４５を区分する区分壁５７を構成する。つまり、区分壁５７の外隅部分のひとつが、分離洗浄部４４の内部空間へ向かって突出する状態で、洗浄部４５が分離洗浄部４４と一体に形成してある。このように、区分壁５７を共有する状態で両洗浄部４４・４５を一体に形成すると、清掃具がいたずらに大形化するのを避けて、全体をコンパクトにまとめることができる。
【００４２】
分離洗浄部４４の前壁４６には、分離洗浄部４４に連通する通水口６０と、洗浄部４５に連通する通水口６１とが開口され、これらの通水口６０・６１の周囲を囲む状態でリブ状の堤壁６２が突設してある。前者通水口６０は、堤壁６２の下辺部に沿って開口されており、開口面は上下方向に長い櫛刃状のリブ６３によって７個の小開口６０ａに分断してある。後者通水口６１は、図５に向かって堤壁６２の左方上隅の近傍に配置されて、横長長円状に開口する。この通水口６１に連続して、分離洗浄部４４の前壁４６と洗浄部４５の前壁５２を繋ぐ通路壁６５が設けてあり（図１３参照）、通路壁６５は洗浄部４５の前壁５２の上下中途部で開口している。この開口部分の上縁中央に、片方のシャッター２６をばね２７の付勢力に抗して開放操作する操作体６６が突設してある。通水口６０・６１の周囲を堤壁６２で囲むことにより、洗浄水を分離洗浄部４４、または洗浄部４５に対して効果的に供給でき、一方の通水口６０（または通水口６１）に洗浄液を流し掛ける場合に、通水口６０から溢れた洗浄液を堤壁６２で受け止めて、他方の通水口６１（または通水口６０）から排水し、余分な洗浄液が清掃具の周囲壁に沿って流下するのを防止できる。
【００４３】
堤壁６２は、その殆どを占める状態で前壁４６の外面に膨出されるＵ字状のリブ部６２ａと、洗浄部４５の前壁５２の開口縁に沿って膨出される下凹み湾曲状のリブ部６２ｂとで無端状に連続形成する。前者リブ部６２ａの両側上部に隣接して、分離洗浄部４４に連通する通口６７が縦に長いスリット状に形成され（図５および図９参照）、通口６７の外側方縁に沿ってリブ壁６８が形成してある。リブ壁６８は側面から見て二等辺三角形状に形成してある（図６参照）。通口６７は排水口として機能し、さらに清掃具の乾燥を促進するための通気口として機能する。
【００４４】
分離洗浄部４４の後壁４７の上部と、洗浄部４５の内奥壁５４とが交差する部分には、左右幅方向の全長にわたって側面から見て部分円弧状の肉壁が膨出してある。この膨出部分５１の幅方向全長にわたって、分離洗浄部４４の排水口７０が開口してある（図９および図１０参照）。排水口７０の左右両端部は、それぞれ上下方向に長い櫛刃状のリブ７１によって、３個の凹部７０ａに区分してある。なお、凹部７０ａは、清掃具を射出成形する際のひけを防止するための肉盗み構造であって、排水口７０とは連通しない凹み構造である。分離洗浄部４４の後壁４７の下開口縁の左右には、ヘッドケース１０に設けたシャッター２６に対応して切欠７２が逆Ｕ字状に形成してある。
【００４５】
先に説明したように、分離洗浄部４４は外刃ホルダー１２を取り外した状態のヘッドケース１０に装着するが、この装着状態を維持するために、ヘッドケース１０に組み込んだ外刃ホルダー１２用のロック構造を利用する。詳しくは図１２に示すように、分離洗浄部４４の左右側壁４８の内面内方に、外刃ホルダー１２の内側壁３０に相当する内壁７３を設け、その下端寄りの前後２箇所にロック穴７４を開口している。分離洗浄部４４をヘッドケース１０に装着した状態では、ロックレバー３５のロック爪が先のロック穴７４と係合するので、清掃具がヘッドケース１０から抜け外れるのを確実に防止できる。
【００４６】
図９に示すように、先に説明した区分壁５７の外隅部分の下面には、左右の内壁７３の突出基端の間にわたってベース部７６が設けてあり、このベース部７６の下面両側に清掃体５０を軸支する軸受部が設けてある。軸受部は、ベース部７６から下向きに突設される前後一対の保持腕７８と、内壁７３の内側面に膨出される突起７９とで構成してある。保持腕７８は、互いに離れる向きに弾性変形でき、それぞれの突端の対向面に清掃体５０のブッシュ８２を回転自在に抱持するための保持爪８０を備えている。清掃体５０は、ねじり合わされたステンレス線材の間にブラシ毛の一群を挟持固定して円柱状に形成してある。回転中心軸となるステンレス線材の両端にはブッシュ８２が固定してある。清掃体５０を軸受部に装着した状態において、ブッシュ８２は突起７９と保持爪８０で回転自在に軸支されて、分離不能に保持されている。
【００４７】
図７に示すように洗浄部４５に臨む区分壁５７の一方の内奥部分、詳しくは、前壁５２の左右側壁５５との隣接隅部に排水口８４が開口してある。排水口８４は、分離洗浄部４４の左右側壁４８と内壁７３との間の空間に臨む状態で開口してある（図８参照）。したがって、排水口８４から排出された洗浄液は、左右側壁４８あるいは内壁７３に沿って流下するしかなく、分離洗浄部４４の洗浄空間の外へ向かって排出されることになる。つまり、洗浄部４５の排水口８４の流下経路を分離洗浄部４４の周囲壁（内側壁７３）の外側に沿って設けることにより、排水口８４から排出された洗浄液が分離洗浄部４４に流れ込むのを防止できる。なお、先の左右側壁４８は、内壁７３の外面を囲む状態で一体に形成されるので、排水口８４の流下経路はこれら両壁４８・７３で囲まれてトンネル状に形成され、したがって洗浄部４５から排水口８４を介して排出される洗浄液が、流下経路の外側方に飛び散るのを防止できる。図１に示すように、洗浄液を通水口６１に流し掛けながら洗浄を行う場合には、洗浄液の一部を排水口８４から排出しながら洗浄部４５内に洗浄液を貯留することができる。この場合には、流し掛ける洗浄液の量を加減することにより、洗浄部４５内に貯留される洗浄液の液位を調整でき、必要があれば、洗浄部４５内の液位を排水口８４より上方にまで増加できる。
【００４８】
図１３に示すように洗浄部４５には外刃ホルダー１２が嵌め込み装着される。この装着状態を維持するために、左右側壁５５のそれぞれに外刃ホルダー１２を分離不能に係合保持する保持構造を設けている。詳しくは、左右側壁５５をＥ字状に型抜きして形成される前後一対の係合爪（保持構造）８５を設け、図１２に示すように係合爪８５の先端に設けた爪部８６が指掛部２９と係合することにより、外刃ホルダー１２の装着状態を保持できるようにしている。係合爪８５は左右側壁５５の内外方向へ弾性変形して、爪部８６が指掛部２９と係合するのを助ける。爪部８６は、アーチ形の指掛部２９の形状に対応して部分円弧状に形成してある。なお、係合爪８５の周囲を囲むＥ字状の型抜き部分は、洗浄部４５の第２の排水口８７として、さらに清掃具の乾燥を促進するための通気口として機能する。
【００４９】
以上のように構成した清掃具は、例えばヘッド部２から取り外した状態の外刃ホルダー１２と、内刃１８とを同時に水洗い洗浄する洗浄形態で使用する。その場合には、図１０に示すように洗浄部４５の装着表示５８が電気かみそりの前面側に位置する状態で、洗浄部４５を外刃ホルダー１２に外嵌装着する。このとき、左右の係合爪８５が指掛部２９に係合して外刃ホルダー１２を分離不能に係合保持する。同時に、操作体６６がシャッター２６の操作リブ２８に接当して、シャッター２６をばね２７の付勢力に抗して開放操作する。この状態で、左右の解除ボタン３３を押し込み操作することにより、ロックレバー３５がロック解除状態に切り換わるので、外刃ホルダー１２が洗浄部４５に装着された状態のままで、ヘッド部２を外刃ホルダー１２から分離できる。
【００５０】
次に、図５および図１２に示すように清掃具を反転して、分離洗浄部４４の装着表示５９を電気かみそりの前面側に位置させ、この状態で分離洗浄部４４をヘッドケース１０のホルダー装着部１６に差し込み装着する。このとき、ロックレバー３５が分離洗浄部４４の内壁７３に設けたロック穴７４に落とし込み係合して、清掃具をヘッド部２にロック保持する。この装着状態において、清掃体５０のブラシ毛の先端は前後の内刃１８のブレード軸１８ａやブレード１８ｂに接当している。
【００５１】
上記の状態で、図１４に示すように分離洗浄部４４の装着表示５９が上面を向き、しかも電気かみそりを僅かに下り傾斜するように支持して、例えば水道水（洗浄水）を堤壁６２で囲まれた通水口６０に流し掛ける。さらにスイッチボタン４をオン操作してモーター１５を起動し、前後の内刃１８を同じ向きに回転駆動しながら洗浄を行う。前後の内刃１８が同じ向きに回転駆動されると、清掃体５０は両内刃１８とは逆向きの回転力を受けて、一部スリップしながら勢いよく回転する。このときのブラシ毛と内刃１８との摺動動作によって、ブレード軸１８ａの周面やブレード１８ｂの表面に付着している毛屑や皮脂などを確実に掃き落とし、さらに洗浄水によって洗い流すことができる。
【００５２】
分離洗浄部４４においては、通水口６０から流入する洗浄液の殆どが主として内刃１８の周面に流れ落ちる。したがって、清掃体５０で掃き落とされた毛屑や皮脂などを、内刃１８の周面から速やかに洗い流すことができる。洗浄後の毛屑などを含む洗浄水は、分離洗浄部４４の後壁４７に沿って流下案内され、排水口７０から排出される。洗浄水を流しかけるときの電気かみそりの傾斜角度が大きい場合には、洗浄水の一部が通口６７からも排出される。洗浄部４５においては、通水口６０から溢れた洗浄水の一部が、通水口６１から外刃ホルダー１２の内面に流れ込み、外刃１９の内外面に付着している毛屑や皮脂を洗い流すことができる。
【００５３】
一定時間洗浄した後スイッチボタン４をオフ操作し、左右の解除ボタン３３を押し込み操作して、分離洗浄部４４をヘッド部２から取り外し、内刃１８が露出した状態の電気かみそりと、外刃ホルダー１２が装着された状態の清掃具とを乾燥させる。外刃ホルダー１２は、洗浄部４５から取り外した状態で乾燥してもよい。
【００５４】
上記の洗浄形態とは異なり、外刃ホルダー１２をヘッド部２に装着した状態のままで、内刃１８および外刃１９の洗浄を行うことができる。その場合には、先の洗浄形態と同様にして洗浄部４５を外刃ホルダー１２に外嵌装着し、左右の係合爪８５を指掛部２９に係合させて外刃ホルダー１２を分離不能に係合保持する（図１５参照）。同時に、シャッター２６を操作体６６で開放操作する（図１６参照）。
【００５５】
上記の状態で、図１に示すように電気かみそりを斜下向きに支持して、洗浄水を堤壁６２で囲まれた通水口６１に流し掛ける。洗浄水は、通水口６１と片側の開口２５を介して外刃ホルダー１２の内面に流れ込み、洗浄部４５の内部に溜まる。この状態でスイッチボタン４をオン操作してモーター１５を起動し、前後の内刃１８を回転駆動しながら洗浄を行う。外刃ホルダー１２の内部においては、内刃１８の回転によって洗浄水が撹拌され、ブレード軸１８ａやブレード１８ｂに衝突してこれらの表面に付着した毛屑や皮脂を洗い落とす。同時に、外刃１９の内外面に付着した毛屑や皮脂が洗い落とされる。毛屑などを含む洗浄廃液は外刃１９を介して毛屑室Ｒの外へ流動し、排出口８４から排出され、あるいは後壁５３の開口縁から排出される。
【００５６】
一定時間洗浄した後スイッチボタン４をオフ操作し、洗浄部４５をヘッド部２から分離することにより、外刃１９の洗浄結果を確認できる。さらに、洗浄部４５をヘッド部２に再び装着して清掃具を係合爪８５で係合保持し、この状態で左右の解除ボタン３３を押し込み操作して、外刃ホルダー１２を清掃具ごとヘッド部２から取り外すことにより、内刃１８の洗浄状態を確認できる。内刃１８が充分に洗浄されていない場合には、清掃具を反転して分離洗浄部４４をヘッド部２に装着し、先に説明した洗浄形態と同様にして、内刃１８を回転駆動し清掃体５０によって内刃１８を強制的に洗浄する。洗浄が終了したら、内刃１８および外刃１９を含むヘッド部２の全体を乾燥させる。
【００５７】
図１７および図１８は、本発明に係る清掃具の別の実施例を示す。そこでは、分離洗浄部４４を省略して、洗浄部４５のみで清掃具を構成した。この場合の洗浄部４５は、外刃ホルダー１２の外面を覆うキャップ状に形成して、その前壁５２に通水口６１を開口し、洗浄部４５の内奥壁５４の前壁５２寄りに排水口８４を形成して、排水口８４と後壁５３とに挟まれる内隅部分に洗浄液を貯留できるようにした。他は先の実施例と同じであるので、同じ部材に同じ符号を付してその説明を省略する。
【００５８】
洗浄を行う場合には、外刃ホルダー１２をヘッド部２に装着した状態のままで、内刃１８および外刃１９の洗浄を行う場合と同様に、洗浄部４５を外刃ホルダー１２に外嵌装着し、左右の係合爪８５を指掛部２９に係合させて外刃ホルダー１２を分離不能に係合保持する（図１８参照）。次に、図１７に示すように電気かみそりを斜下向きに支持して、洗浄水を通水口６１に流し掛け、洗浄部４５の内部に洗浄水を貯留する。この状態でスイッチボタン４をオン操作してモーター１５を起動し、前後の内刃１８を回転駆動しながら洗浄を行う。このとき、電気かみそりの全体を前後に揺り動かすことにより、外刃ホルダー１２の内部に入り込んだ洗浄水を揺すって、前後の内刃１８、および外刃１９の内面に洗浄水を満遍なく行き渡らせる。このとき、蛇口の止水栓の開量を加減して、洗浄水を通水口６１に勢いよく流し掛けると、洗浄部４５内の洗浄水の液位を排水口８４より上方にまで増加できる。また、排水口８４の開口面積を通水口６１の開口面積より小さくしておけば、洗浄部４５内の洗浄水の液位を、同様に排水口８４より上方にまで増加できる。
【００５９】
外刃ホルダー１２の内部においては、内刃１８の回転によって洗浄水が撹拌され、ブレード軸１８ａやブレード１８ｂに衝突してこれらの表面に付着した毛屑や皮脂を洗い落とす。同時に、外刃１９の内外面に付着した毛屑や皮脂が洗い落とされる。毛屑などを含む洗浄廃液は外刃１９を介して毛屑室Ｒの外へ流動し、排出口８４から排出される。一定時間洗浄した後スイッチボタン４をオフ操作する。最後に清掃具をヘッド部２から取り外して、ヘッド部２を乾燥させる。なお、この実施例に係る外刃ホルダー１２には、先の実施例における開口２５が設けられておらず、そのため、洗浄部４５内の洗浄水は外刃１９の刃穴や外刃ホルダー１２の接合隙間から外刃ホルダー１２の内部に流入して、内刃１８および外刃１９の内面側が浸漬されることとなる。
【００６０】
図１９は本発明の清掃具の適用対象となる往復動型の電気かみそりの実施例を示す。そこでは、本体ケース１の上部に設けたホルダー装着部１６に外刃ホルダー１２が着脱される。ホルダー装着部１６の外面上方には往復駆動される内刃１８ａが設けてある。ホルダー装着部１６の内部には、モーター１５の回転動力を往復動力に変換する偏心カム９１と、振動子９２が組み込んである。この実施例において符号ｈで示す部分が、先に説明した実施例におけるヘッド部２に相当し、符号ｋで示す部分がヘッドケース１０に相当する。
【００６１】
上記の実施例では、回転自在なブラシで清掃体５０を構成したがその必要はなく、回転不能に固定保持されたブラシや、布塊などで清掃体５０を構成することができる。保持構造は、外刃ホルダー１２の指掛部２９以外の部分、例えば外刃ホルダー１２の開口縁や、ホルダー周囲壁、あるいは本体ケース１の周囲壁に形成した凹みや突起などを係合相手にして、係合保持する構造を採ることができる。洗浄部４５は分離洗浄部４４に対して前傾させる必要はなく、両者４４・４５の中心軸線Ｐ１・Ｐ２は一致していてもよい。清掃具は、先に説明した電気かみそり以外に、内刃が縦軸回りに回転駆動される形態の電気かみそりにも適用することができる。区分壁５７の構造は、実施例で説明した構造以外に、分離洗浄部４４の前壁４６に対して直交する壁、前壁４６に対して斜めに交差する壁、分離洗浄部４４の側へ膨出する湾曲壁、あるいは、前記各壁の中途部が分離洗浄部４４の側へＶ字状に突出する壁であってもよい。
【図面の簡単な説明】
【００６２】
【図１】清掃具による洗浄形態の一例を示す断面図である。
【図２】電気かみそりの正面図である。
【図３】ヘッド部の背面図である。
【図４】外刃ホルダーを破断した状態のヘッド部の正面図である。
【図５】ヘッド部と清掃具を分離した状態の正面図である。
【図６】ヘッド部と清掃具を分離した状態の側面図である。
【図７】図６におけるＥ−Ｅ線矢視図である。
【図８】図７におけるＡ−Ａ線断面図である。
【図９】図７におけるＢ−Ｂ線断面図である。
【図１０】ヘッド部と反転した清掃具を分離した状態の正面図である。
【図１１】ヘッド部と反転した清掃具を分離した状態の側面図である。
【図１２】清掃具をヘッド部に装着した状態の縦断正面図である。
【図１３】図１２におけるＣ−Ｃ線断面図である。
【図１４】清掃具による別の洗浄形態を示す断面図である。
【図１５】清掃具をヘッド部に反転装着した状態の縦断正面図である。
【図１６】図１５におけるＤ−Ｄ線断面図である。
【図１７】清掃具の別の実施形態を示す縦断側面図である。
【図１８】図１７で説明した清掃具の縦断正面図である。
【図１９】清掃具の適用対象である電気かみそりの別例を示す縦断正面図である。
【符号の説明】
【００６３】
２  ヘッド部
１２  外刃ホルダー
１８  内刃
１９  外刃
２５  開口
２６  シャッター
２７  ばね
４４  分離洗浄部
４５  洗浄部
４６  分離洗浄部の前壁
４７  分離洗浄部の後壁
４８  分離洗浄部の左右側壁
５０  清掃体
５２  洗浄部の前壁
５７  区分壁
６０  通水口
６１  通水口
６２  堤壁
６６  操作体
７０  分離洗浄部の排水口
８４  洗浄部の排水口
Ｐ１  分離洗浄部の中心軸線
Ｐ２  洗浄部の中心軸線
Ｒ  毛屑室
【図１】
2009028434.tif 000003
【図２】
2009028434.tif 000004
【図３】
2009028434.tif 000005
【図４】
2009028434.tif 000006
【図５】
2009028434.tif 000007
【図６】
2009028434.tif 000008
【図７】
2009028434.tif 000009
【図８】
2009028434.tif 000010
【図９】
2009028434.tif 000011
【図１０】
2009028434.tif 000012
【図１１】
2009028434.tif 000013
【図１２】
2009028434.tif 000014
【図１３】
2009028434.tif 000015
【図１４】
2009028434.tif 000016
【図１５】
2009028434.tif 000017
【図１６】
2009028434.tif 000018
【図１７】
2009028434.tif 000019
【図１８】
2009028434.tif 000020
【図１９】
2009028434.tif 000021